【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
受信器における方法であって、
送信器によって送信されたデータ内の記述子を検出することであって、前記記述子は、レートバッファサイズ曲線の複数の点を指定する複数のバッファパラメータの組を含むこと、
普通のチャネルと堅牢チャネルとの間で選択することであって、前記普通のチャネルのデータに比較して、前記堅牢チャネルのデータは、該堅牢チャネルのデータにおける冗長性の増加のために送信エラーに対するより高いレベルの堅牢さを有していること、
前記堅牢チャネルに対する堅牢さのレベルと前記選択されたチャネルのデータの有効レートとに少なくとも基づいて、前記バッファパラメータの複数の組の１つまたは複数を用いてバッファサイズを識別することであって、堅牢さの異なるレベルについて、前記レートバッファサイズ曲線は前記選択されたチャネルのデータに対して異なるバッファサイズを提供すること、
前記識別されたバッファサイズによって実施されるガイドラインに従って、エレメンタリストリーム獲得を提供するためにメモリリソースおよびフロー制御ロジックを構成すること、および
前記選択されたデータの初期バッファ満杯度値以上がバッファに含まれるまで、前記選択されたチャネルのデータをバッファすること
を含むことを特徴とする方法。
【請求項２】
新しい記述子の受信に応答して、前記メモリリソースおよび前記フロー制御ロジックを再構成することをさらに含むことを特徴とする請求項１に記載の方法。
【請求項３】
前記選択することにおいて用いるために、受信特性および統計を監視することを特徴とする請求項１に記載の方法。
【請求項４】
前記監視することは、前記普通のチャネルに対するシンボルレートと前記堅牢チャネルに対するシンボルレートとを含むことを特徴とする請求項３に記載の方法。
【請求項５】
前記監視することは、信号対雑音比、搬送波対雑音比、平均信号エネルギー、および前記送信されたデータのピーク信号エネルギーの１つまたは複数を監視することを含み、
前記送信されたデータは、前記普通のチャネルのデータおよび前記堅牢チャネルのデータを含むことを特徴とする請求項３に記載の方法。
【請求項６】
前記監視することは、パケットの破壊の範囲を監視することを含むことを特徴とする請求項３に記載の方法。
【請求項７】
前記普通のチャネルは送信チャネルの第１の部分であり、前記堅牢チャネルは前記送信チャネルの第２の部分であることを特徴とする請求項１に記載の方法。
【請求項８】
前記送信チャネルに対するレートは、前記普通のチャネルに対するレートよりも大きく、かつ前記堅牢チャネルに対するレートよりも大きいことを特徴とする請求項７に記載の方法。
【請求項９】
前記堅牢チャネルのデータの、比較してより高いレベルの堅牢さは、前記堅牢チャネルのデータに対するチャネルコーディング技法を通じた冗長性の増加によるものであることを特徴とする請求項１に記載の方法。
【請求項１０】
前記堅牢チャネルのデータの、比較してより高いレベルの堅牢さは、前記堅牢チャネルのデータ内の、巡回冗長検査コードまたは畳み込みコードの使用の増加によるものであることを特徴とする請求項１に記載の方法。
【請求項１１】
コンピュータにより読み出し可能なプログラムを格納した記憶媒体であって、コンピュータに請求項１に記載の方法を実行させるためのコンピュータプログラムを格納したことを特徴とする記憶媒体。
【請求項１２】
バッファ、メモリリソース、およびフロー制御ロジックを備える受信器であって、
送信されたデータ内の記述子を検出する手段であって、前記記述子は、レートバッファサイズ曲線の複数の点を指定する複数のバッファパラメータの組を含み、
普通のチャネルと堅牢チャネルとのいずれを選択するかを決定する手段であって、前記普通のチャネルのデータに比較して、前記堅牢チャネルのデータは、該堅牢チャネルのデータにおける冗長性の増加のために送信エラーに対するより高いレベルの堅牢さを有し、
前記堅牢チャネルに対する堅牢さのレベル、前記選択されたチャネルのデータの有効レート、および前記バッファパラメータの複数の組の１つまたは複数に少なくとも基づいて、バッファサイズを識別する手段であって、前記レートバッファサイズ曲線は堅牢さの異なるレベルに対する異なるバッファサイズを示し、
前記識別されたバッファサイズによって実施されるガイドラインに従って、エレメンタリストリーム獲得を提供するために前記メモリリソースおよび前記フロー制御ロジックを構成する手段と、
前記バッファに前記選択されたチャネルのデータの初期バッファ満杯度値より多くが含まれる時に前記選択されたチャネルのデータを復号する手段と
を備えることを特徴とする受信器。
【請求項１３】
前記メモリリソースおよびフロー制御ロジックを構成する手段は、新しい記述子の受信に応答して、前記バッファを再構成することを特徴とする請求項１２に記載の受信器。
【請求項１４】
前記決定する手段は、該決定する手段において用いるために、受信特性および統計を監視する手段を含むことを特徴とする請求項１２に記載の受信器。
【請求項１５】
前記監視する手段は、前記普通のチャネルに対するシンボルレートと前記堅牢チャネルに対するシンボルレートとを含むことを特徴とする請求項１４に記載の受信器。
【請求項１６】
前記監視する手段は、信号対雑音比、搬送波対雑音比、平均信号エネルギー、および前記送信されたデータのピーク信号エネルギーの１つまたは複数を監視し、
前記送信されたデータは、前記普通のチャネルのデータおよび前記堅牢チャネルのデータを含むことを特徴とする請求項１４に記載の受信器。
【請求項１７】
前記監視する手段は、パケットの破壊の範囲を監視することを特徴とする請求項１４に記載の受信器。
【請求項１８】
前記普通のチャネルは送信チャネルの第１の部分であり、前記堅牢チャネルは前記送信チャネルの第２の部分であることを特徴とする請求項１２に記載の受信器。
【請求項１９】
前記送信チャネルに対するレートは、前記普通のチャネルに対するレートよりも大きく、かつ前記堅牢チャネルに対するレートよりも大きいことを特徴とする請求項１８に記載の受信器。
【請求項２０】
前記堅牢チャネルのデータの、比較してより高いレベルの堅牢さは、前記堅牢チャネルのデータに対するチャネルコーディング技法を通じた冗長性の増加によるものであることを特徴とする請求項１２に記載の受信器。
【請求項２１】
前記堅牢チャネルのデータの、比較してより高いレベルの堅牢さは、前記堅牢チャネルのデータ内の、巡回冗長検査コードまたは畳み込みコードの使用の増加によるものであることを特徴とする請求項１２に記載の受信器。
【請求項２２】
受信器における方法であって、
レートバッファサイズ曲線の複数の点を指定する、基準デコーダパラメータの複数の組を入手すること、
前記受信器において、普通のチャネルと堅牢チャネルとの間で選択することであって、前記普通のチャネルのデータに比較して、前記堅牢チャネルのデータは、該堅牢チャネルのデータにおける冗長性の増加のために送信エラーに対するより高いレベルの堅牢さを有していること、
前記堅牢チャネルに対する堅牢さのレベルと前記選択されたチャネルのデータの有効レートとに少なくとも基づいて、前記基準デコーダパラメータの複数の組の１つまたは複数を用いてバッファサイズを識別することであって、前記レートバッファサイズ曲線は、堅牢さの異なるレベルに対して異なるバッファサイズを提供すること、
前記識別されたバッファサイズに従って、前記受信器においてバッファを構成すること、および
前記バッファにおいて、前記選択されたチャネルからデータをバッファすること
を含むことを特徴とする方法。
【請求項２３】
前記選択することは、前記普通のチャネルに対するシンボルレートと前記堅牢チャネルに対するシンボルレートとを監視することに少なくとも基づいていることを特徴とする請求項２２に記載の方法。
【請求項２４】
前記選択することは、信号対雑音比、搬送波対雑音比、平均信号エネルギー、および前記普通のチャネルのデータおよび前記堅牢チャネルのデータを含む送信された信号のピーク信号エネルギーの１つまたは複数を監視することに少なくとも基づいていることを特徴とする請求項２２に記載の方法。
【請求項２５】
前記選択することは、パケットの破壊の範囲を監視することに少なくとも基づいていることを特徴とする請求項２２に記載の方法。
【請求項２６】
前記複数のバッファモデルは、前記普通のチャネルおよび前記堅牢チャネルの双方に適用可能であることを特徴とする請求項２２に記載の方法。
【請求項２７】
前記データは、ビデオストリームに対するパケットを含むことを特徴とする請求項２２に記載の方法。
【請求項２８】
前記バッファサイズを識別することは、前記基準デコーダパラメータの複数の組の１つから前記バッファサイズを選択することを含むことを特徴とする請求項２２に記載の方法。
【請求項２９】
前記バッファサイズを識別することは、前記基準デコーダパラメータの複数の組のうちの複数の、複数のバッファサイズパラメータの間に挿入することを含むことを特徴とする請求項２２に記載の方法。
【請求項３０】
前記普通のチャネルは送信チャネルの第１の部分であり、前記堅牢チャネルは前記送信チャネルの第２の部分であることを特徴とする請求項２２に記載の方法。
【請求項３１】
前記送信チャネルに対するレートは、前記普通のチャネルに対するレートよりも大きく、かつ前記堅牢チャネルに対するレートよりも大きいことを特徴とする請求項７に記載の方法。
【請求項３２】
前記選択されたチャネルに対するデータの、更新されたレートに少なくとも基づいて、前記受信器において新しいバッファサイズを識別すること、および
前記新しいバッファサイズに従って、前記受信器において前記バッファを再構成することをさらに含むことを特徴とする請求項２２に記載の方法。
【請求項３３】
前記堅牢チャネルのデータの、比較してより高いレベルの堅牢さは、前記堅牢チャネルのデータに対するチャネルコーディング技法を通じた冗長性の増加によるものであることを特徴とする請求項２２に記載の方法。
【請求項３４】
前記堅牢チャネルのデータの、比較してより高いレベルの堅牢さは、前記堅牢チャネルのデータ内の、巡回冗長検査コードまたは畳み込みコードの使用の増加によるものであることを特徴とする請求項２２に記載の方法。
【請求項３５】
コンピュータにより読み出し可能なプログラムを格納した記憶媒体であって、コンピュータに請求項２２に記載の方法を実行させるためのコンピュータプログラムを格納したことを特徴とする記憶媒体。